(57)【要約】  実施形態に係る太陽電池１０において、第１交差電極１３は、受光面の平面視において、受光面のうち一の配線材２０が接続される第１接続領域Ｒ１から突出する複数の第１突出部１３Ａを有する。第２交差電極１５は、裏面の平面視において、裏面のうち他の配線材２０が接続される第２接続領域Ｒ２から突出する複数の第２突出部１５Ａを有する。第１交差電極１３と第２交差電極１５とは、受光面に平行な投影面上において重なっている。
2010116914.tif 000002
【特許請求の範囲】
【請求項１】
第１及び第２配線材が接続される太陽電池であって、
第１主面と、
第２主面と、
前記第１主面上に形成される複数の第１細線電極と、
前記第１主面上において、前記複数の第１細線電極と交差する第１交差電極と、
前記第２主面上に形成される複数の第２細線電極と、
前記第２主面上において、前記複数の第２細線電極と交差する第２交差電極とを備え、
前記第１交差電極は、前記第１主面の平面視において、前記第１主面のうち前記第１配線材が接続される領域である第１接続領域からそれぞれ突出する複数の第１突出部を有し、
前記第２交差電極は、前記第２主面の平面視において、前記第２主面のうち前記第２配線材が接続される領域である第２接続領域からそれぞれ突出する複数の第２突出部を有しており、
前記第１主面に平行な投影面上において、前記第１交差電極と前記第２交差電極とは重なっていることを特徴とする太陽電池。
【請求項２】
前記第２交差電極の線幅は、前記第１交差電極の線幅よりも大きいことを特徴とする請求項１に記載の太陽電池。
【請求項３】
前記第１主面は、光を受ける受光面であり、
前記第２主面は、前記受光面の反対側に設けられる裏面であることを特徴とする請求項２に記載の太陽電池。
【請求項４】
前記第１交差電極の高さは、前記複数の第１細線電極それぞれの高さよりも大きいことを特徴とする請求項１に記載の太陽電池。
【請求項５】
前記第２交差電極の高さは、前記複数の第２細線電極それぞれの高さよりも大きいことを特徴とする請求項１に記載の太陽電池。
【請求項６】
前記複数の第１細線電極それぞれの高さは、前記第１交差電極の高さよりも大きいことを特徴とする請求項１に記載の太陽電池。
【請求項７】
前記複数の第２細線電極それぞれの高さは、前記第２交差電極の高さよりも大きいことを特徴とする請求項１に記載の太陽電池。
【請求項８】
第１主面上に複数の第１細線電極を有し、第２主面上に複数の第２細線電極を有する太陽電池であって、
前記複数の第１細線電極のそれぞれと交差するジグザグ状の第１交差電極と、
前記複数の第２細線電極のそれぞれと交差するジグザグ状の第２交差電極と、を備え、
前記第１交差電極と前記第２交差電極とは、平面視において、重なるように形成されていることを特徴とする太陽電池。
【請求項９】
前記第１交差電極の頂点は、前記第１細線電極と重なるように形成されていることを特徴とする請求項８に記載の太陽電池。
【請求項１０】
前記第２交差電極の頂点は、前記第２細線電極と重なるように形成されていることを特徴とする請求項８に記載の太陽電池。
【請求項１１】
第１主面と、第２主面とを有する太陽電池と、
前記第１主面上において、所定の方向に沿って配置される第１配線材と、
前記第２主面上において、前記所定の方向に沿って配置される第２配線材と、
前記第１主面と前記第１配線材との間に形成される第１樹脂接着材と、
前記第２主面と前記第２配線材との間に形成される第２樹脂接着材とを備える太陽電池モジュールであって、
前記太陽電池は、
前記第１主面上に形成される複数の第１細線電極と、
前記第１主面上において、前記複数の第１細線電極と交差する第１交差電極と、
前記第２主面上に形成される複数の第２細線電極と、
前記第２主面上において、前記複数の第２細線電極と交差する第２交差電極とを有し、
前記第１交差電極は、前記第１主面の平面視において、前記第１配線材から突出する第１突出部を有し、
前記第２交差電極は、前記第２主面の平面視において、前記第２配線材から突出する第２突出部を有しており、
前記第１主面に平行な投影面上において、前記第１交差電極と前記第２交差電極とは重なっていることを特徴とする太陽電池モジュール。
【発明の詳細な説明】
【技術分野】
【０００１】
本発明は、配線材が接続される太陽電池及び太陽電池を備える太陽電池モジュールに関する。
【背景技術】
【０００２】
太陽電池は、クリーンで無尽蔵に供給される太陽光エネルギーを直接電気エネルギーに変換することができるため、新しいエネルギー源として期待されている。【０００３】
一般的に、太陽電池１枚当りの出力は数Ｗ程度である。従って、家屋やビル等の電源として太陽電池を用いる場合には、複数の太陽電池を配線材によって互いに接続することにより出力を高めた太陽電池モジュールが用いられる。【０００４】
通常、太陽電池は、キャリアを集電するための複数本の細線電極と配線材を接続するための接続用電極とを光電変換部上に備える。配線材は、接続用電極上に半田付けされる。細線電極及び接続用電極は、熱硬化型或いは焼結型の導電性ペーストによって形成される。【０００５】
ここで、特許文献１では、半田よりも低い温度で接着可能な樹脂接着材を用いて配線材を接続用電極に接着する手法が提案されている。この手法によれば、接続時における配線材の伸縮を小さくできるので、太陽電池の反りを抑制することができる。
【先行技術文献】
【特許文献】
【０００６】
【特許文献１】特開２００７−２１４５３３号公報
【発明の概要】
【０００７】
しかしながら、特許文献１に記載の手法では、光電変換部と接続用電極との線膨張係数が異なるので、特に基板の厚みを薄くしたときに、接続用電極形成時の熱の影響によって、太陽電池に反りが発生するという問題がある。
【０００８】
この問題を解決するために、接続用電極の幅を配線材の幅よりも小さくすることが考えられる。しかしながら、接続用電極の幅を小さくすると、配線材を接続用電極に接続する際に、配線材が接続用電極からずれた位置に配置される場合がある。この場合、接続用電極にせん断応力が加わるので、光電変換部に局所的に大きな圧力がかかる。その結果、光電変換部にクラックなどの欠陥が生じることによって、太陽電池特性が低下してしまう。
【０００９】
また、配線材の位置精度の向上には、接続用電極の位置判別装置及び配線材の位置決め装置の高精度化を図る必要があるので、太陽電池モジュールの製造コストを増大させてしまう。
【００１０】
本発明は、上述した状況に鑑みてなされたものであり、特性の低下を抑制可能な太陽電池及び太陽電池モジュールを提供することを目的とする。
【００１１】
本発明の特徴に係る太陽電池は、第１及び第２配線材が接続される太陽電池であって、第１主面と、第２主面と、前記第１主面上に形成される複数の第１細線電極と、前記第１主面上において、前記複数の第１細線電極と交差する第１交差電極と、前記第２主面上に形成される複数の第２細線電極と、前記第２主面上において、前記複数の第２細線電極と交差する第２交差電極とを備え、前記第１交差電極は、前記第１主面の平面視において、前記第１主面のうち前記第１配線材が接続される領域である第１接続領域からそれぞれ突出する複数の第１突出部を有し、前記第２交差電極は、前記第２主面の平面視において、前記第２主面のうち前記第２配線材が接続される領域である第２接続領域からそれぞれ突出する複数の第２突出部を有しており、前記第１主面に平行な投影面上において、前記第１交差電極と前記第２交差電極とは重なっていることを要旨とする。
【００１２】
本発明の特徴に係る太陽電池において、前記第２交差電極の線幅は、前記第１交差電極の線幅よりも大きくてもよい。
【００１３】
本発明の特徴に係る太陽電池において、前記第１主面は、光を受ける受光面であり、前記第２主面は、前記受光面の反対側に設けられる裏面であってもよい。
【００１４】
本発明の特徴に係る太陽電池において、前記第１交差電極の高さは、前記複数の第１細線電極それぞれの高さよりも大きくてもよい。
【００１５】
本発明の特徴に係る太陽電池において、前記第２交差電極の高さは、前記複数の第２細線電極それぞれの高さよりも大きくてもよい。
【００１６】
本発明の特徴に係る太陽電池において、前記複数の第１細線電極それぞれの高さは、前記第１交差電極の高さよりも大きくてもよい。
【００１７】
本発明の特徴に係る太陽電池において、前記複数の第２細線電極それぞれの高さは、前記第２交差電極の高さよりも大きくてもよい。
【００１８】
本発明の特徴に係る太陽電池は、第１主面上に複数の第１細線電極を有し、第２主面上に複数の第２細線電極を有する太陽電池であって、前記複数の第１細線電極のそれぞれと交差するジグザグ状の第１交差電極と、前記複数の第２細線電極のそれぞれと交差するジグザグ状の第２交差電極と、を備え、前記第１交差電極と前記第２交差電極とは、平面視において、重なるように形成されていることを要旨とする。
【００１９】
本発明の特徴に係る太陽電池において、前記第１交差電極の頂点は、前記第１細線電極と重なるように形成されていてもよい。
【００２０】
本発明の特徴に係る太陽電池において、前記第２交差電極の頂点は、前記第２細線電極と重なるように形成されていてもよい。
【００２１】
本発明の特徴に係る太陽電池モジュールは、第１主面と、第２主面とを有する太陽電池と、前記第１主面上において、所定の方向に沿って配置される第１配線材と、前記第２主面上において、前記所定の方向に沿って配置される第２配線材と、前記第１主面と前記第１配線材との間に形成される第１樹脂接着材と、前記第２主面と前記第２配線材との間に形成される第２樹脂接着材とを備える太陽電池モジュールであって、前記太陽電池は、前記第１主面上に形成される複数の第１細線電極と、前記第１主面上において、前記複数の第１細線電極と交差する第１交差電極と、前記第２主面上に形成される複数の第２細線電極と、前記第２主面上において、前記複数の第２細線電極と交差する第２交差電極とを有し、前記第１交差電極は、前記第１主面の平面視において、前記第１配線材から突出する第１突出部を有し、前記第２交差電極は、前記第２主面の平面視において、前記第２配線材から突出する第２突出部を有しており、前記第１主面に平行な投影面上において、前記第１交差電極と前記第２交差電極とは重なっていることを要旨とする。
【００２２】
本発明によれば、特性低下を抑制可能な太陽電池及び太陽電池モジュールを提供することができる。
【図面の簡単な説明】
【００２３】
【図１】図１は、本発明の実施形態に係る太陽電池モジュール１００の側面図である。
【図２】図２は、本発明の実施形態に係る太陽電池１０を受光面側から見た平面図である。
【図３】図３は、本発明の実施形態に係る太陽電池１０を裏面側から見た平面図である。
【図４】図４は、受光面に平行な投影面における太陽電池１０の投影図である。
【図５】図５は、図２のＡ−Ａ線における断面図である。
【図６】図６は、本発明の実施形態に係る太陽電池ストリング１の拡大平面図である。
【発明を実施するための形態】
【００２４】
次に、図面を用いて、本発明の実施形態について説明する。以下の図面の記載において、同一又は類似の部分には、同一又は類似の符号を付している。図面は模式的なものであり、各寸法の比率等は現実のものとは異なることに留意すべきである。従って、具体的な寸法等は以下の説明を参酌して判断すべきものである。図面相互間においても互いの寸法の関係や比率が異なる部分が含まれていることは勿論である。
【００２５】
（太陽電池モジュールの概略構成）
本発明の実施形態に係る太陽電池モジュール１００の概略構成について、図１を参照しながら説明する。図１は、本実施形態に係る太陽電池モジュール１００の側面図である。
【００２６】
太陽電池モジュール１００は、太陽電池ストリング１、受光面側保護材２、裏面側保護材３及び封止材４を備える。太陽電池モジュール１００は、受光面側保護材２と裏面側保護材３との間に、太陽電池ストリング１を封止することにより構成される。
【００２７】
太陽電池ストリング１は、複数の太陽電池１０と、配線材２０と、樹脂接着材３０とを備える。太陽電池ストリング１の構成については後述する。
【００２８】
複数の太陽電池１０それぞれは、太陽光が入射する受光面と、受光面の反対側に設けられる裏面とを有する。受光面と裏面とは、複数の太陽電池１０それぞれの主面である。複数の太陽電池１０それぞれの受光面上及び裏面上には電極が形成される。太陽電池１０の構成については後述する。
【００２９】
配線材２０は、複数の太陽電池１０を互いに電気的に接続するための配線材である。具体的には、配線材２０の一端部は、一の太陽電池１０の受光面上において配列方向に沿って配置される。また、配線材２０の他端部は、他の太陽電池１０の裏面上において配列方向に沿って配置される。配線材２０は、太陽電池１０の表面との間に介挿される樹脂接着材３０によって太陽電池１０に接続される。配線材２０は、薄板状または縒り線状の銅、銀、金、錫、ニッケル、アルミニウム、或いはこれらの合金などの電気抵抗が低い材料によって構成されることが好ましい。なお、配線材２０の表面は、鉛フリー半田（例えば、ＳｎＡｇ３．０Ｃｕ０．５）などの導電性材料によって覆われていてもよい。
【００３０】
樹脂接着材３０は、太陽電池１０の主面（受光面及び裏面）と配線材２０との間に形成される。樹脂接着材３０としては、例えば、アクリル樹脂、柔軟性の高いポリウレタン系などの熱硬化性樹脂接着材の他、エポキシ樹脂、アクリル樹脂、あるいはウレタン樹脂に硬化剤を混合させた２液反応系接着材などを用いることができる。
【００３１】
また、樹脂接着材３０は、ニッケルや金コート付きニッケルなどの複数の微小な導電材（不図示）を含んでいてもよい。このような導電材を含む樹脂接着材３０は、例えば、異方性導電接着材である。なお、導電材の含有量は、樹脂接着材３０の硬化後に導電材が厚み方向に１個から数個並ぶ程度の量であることが好ましい。これによって、厚み方向における電気抵抗を小さくすることができる。
【００３２】
なお、絶縁性の樹脂接着材３０を用いる場合には、配線材２０の表面を太陽電池１０の電極の表面に直接接触させることによって、配線材２０と太陽電池１０とが電気的に接続される。また、導電性の樹脂接着材３０を用いる場合には、導電材によって配線材２０の表面を太陽電池１０の電極の表面に直接接触させてもよい。
【００３３】
受光面側保護材２は、複数の太陽電池１０それぞれの受光面側に配置されており、太陽電池モジュール１００の表面を保護する。受光面側保護材２としては、透光性及び遮水性を有するガラス、透光性プラスチック等を用いることができる。
【００３４】
裏面側保護材３は、複数の太陽電池１０それぞれの裏面側に配置されており、太陽電池モジュール１００の背面を保護する。裏面側保護材３としては、ＰＥＴ（Polyethylene Terephthalate）等の樹脂フィルム、Ａｌ箔を樹脂フィルムでサンドイッチした構造を有する積層フィルムなどを用いることができる。
【００３５】
封止材４は、受光面側保護材２と裏面側保護材３との間で太陽電池ストリング１を封止する。封止材４としては、ＥＶＡ、ＥＥＡ、ＰＶＢ、シリコン、ウレタン、アクリル、エポキシ等の透光性の樹脂を用いることができる。
【００３６】
なお、以上のような構成を有する太陽電池モジュール１００の外周には、Ａｌフレームなどを取り付けることができる。
【００３７】
（太陽電池の構成）
次に、実施形態に係る太陽電池の構成について、図面を参照しながら説明する。図２は、実施形態に係る太陽電池１０を受光面側から見た平面図である。図３は、実施形態に係る太陽電池１０を裏面側から見た平面図である。
【００３８】
図２に示すように、太陽電池１０は、光電変換部１１と、複数の第１細線電極１２と、第１交差電極１３とを有する。
【００３９】
光電変換部１１は、受光によりキャリアを生成する。キャリアとは、一対の正孔と電子とをいう。光電変換部１１は、例えば、内部にｎ型領域とｐ型領域とを有しており、ｎ型領域とｐ型領域との間で半導体接合が形成される。光電変換部１１は、単結晶Ｓｉ、多結晶Ｓｉ等の結晶系半導体材料、ＧａＡｓ、ＩｎＰ等の化合物半導体材料などによって構成される半導体基板を用いて形成することができる。なお、光電変換部１１は、単結晶シリコン基板と非晶質シリコン層との間に真性な非晶質シリコン層を挟むことによりヘテロ接合界面の特性を改善した構造、いわゆるＨＩＴ（登録商標、三洋電機株式会社）構造を有していてもよい。
【００４０】
複数の第１細線電極１２は、光電変換部１１からキャリアを収集する電極である。複数の第１細線電極１２それぞれは、受光面上において、配列方向に略直交する方向である直交方向に沿ってライン状に形成される。
【００４１】
第１交差電極１３は、受光面上において、複数の第１細線電極１２と交差する。第１交差電極１３は、複数の第１細線電極１２からキャリアを収集する電極である。本実施形態において、第１交差電極１３は、図２に示すように、配列方向に沿ってジグザグ状に形成される。また、第１交差電極１３は、図２に示すように、線幅αＷで一様に形成されている。第１交差電極１３の線幅αＷは、第１細線電極１２の線幅よりも大きい。
【００４２】
また、第１交差電極１３は、受光面のうち一の配線材２０が接続される領域である第１接続領域Ｒ１から突出する複数の第１突出部１３Ａを有する。本実施形態では、複数の第１突出部１３Ａは、第１接続領域Ｒ１の直交方向両側に形成されている。複数の第１突出部１３Ａは、配列方向に並べられている。
【００４３】
また、図３に示すように、太陽電池１０は、複数の第２細線電極１４と、第２交差電極１５とを有する。
【００４４】
複数の第２細線電極１４は、光電変換部１１からキャリアを収集する電極である。複複数の第２細線電極１４それぞれは、裏面上において、直交方向に沿ってライン状に形成される。数の第２細線電極１４の本数は、複数の第１細線電極１２の本数よりも多くてもよい。
【００４５】
第２交差電極１５は、裏面上において、複数の第２細線電極１４と交差する。第２交差電極１５は、複数の第２細線電極１４からキャリアを収集する電極である。本実施形態において、第２交差電極１５は、図３に示すように、配列方向に沿ってジグザグ状に形成される。また、第２交差電極１５は、図３に示すように、線幅βＷで一様に形成されており、線幅βＷは線幅αＷよりも大きい。すなわち、第２交差電極１５は、第１交差電極１３よりも太く形成されている。また、第２交差電極１５の線幅βＷは、第２細線電極１４の線幅よりも大きい。
【００４６】
また、第２交差電極１５は、裏面のうち他の配線材２０が接続される領域である第２接続領域Ｒ２から突出する複数の第２突出部１５Ａを有する。本実施形態では、複数の第２突出部１５Ａは、第２接続領域Ｒ２の直交方向両側に形成されている。複数の第２突出部１５Ａは、配列方向に並べられている。
【００４７】
なお、以上の各種電極は、導電性ペーストなどを印刷することによって形成することができる。
【００４８】
ここで、図４は、受光面に平行な投影面における太陽電池１０の拡大投影図である。ただし、図４では、複数の第１細線電極１２及び複数の第２細線電極１４が省略されている。
【００４９】
図４に示すように、第１交差電極１３と第２交差電極１５とは、受光面に平行な投影面上において重なっている。すなわち、第１交差電極１３と第２交差電極１５とは、光電変換部１１を挟んで対称な位置に形成されている。具体的には、本実施形態では、線幅βＷが線幅αＷよりも大きいので、第１交差電極１３は、受光面に平行な投影面上において、第２交差電極１５の内側に形成されている。
【００５０】
また、図２及び図３に示すように、第１交差電極１３の第１突出部１３Ａの頂点は、第１細線電極１２と重なっている。第２交差電極１５の第２突出部１５Ａの頂点は、第２細線電極１４と重なっている。上述の通り、受光面に平行な投影面上において、第１交差電極１３と第２交差電極１５とは、重なっている。すなわち、受光面側又は裏面側から視た平面視において、第１交差電極１３と第２交差電極１５とは、重なっている。従って、受光面側又は裏面側から視た平面視において、第１細線電極１２と重なる位置に、第２細線電極１４の少なくとも一部が形成されている。
【００５１】
また、図５は、図２のＡ−Ａ線における断面図である。図５に示すように、受光面に垂直な方向である垂直方向において、第１交差電極１３の高さαＴは、第１細線電極１２の高さγＴよりも大きい。また、垂直方向において、第２交差電極１５の高さβＴは、第２細線電極１４の高さδＴよりも大きい。
【００５２】
（太陽電池ストリングの構成）
次に、実施形態に係る太陽電池ストリング１の構成について、図面を参照しながら説明する。図６は、実施形態に係る太陽電池ストリング１を受光面側から見た拡大平面図である。
【００５３】
図６に示すように、太陽電池１０の受光面上には、一の配線材２０が配置されている。一の配線材２０は、上述の第１接続領域Ｒ１上に、樹脂接着材３０を介して配置される。また、図示しないが、太陽電池１０の裏面上には、他の配線材２０が配置されている。他の配線材２０は、上述の第２接続領域Ｒ２上に、樹脂接着材３０を介して配置される。
【００５４】
（太陽電池モジュールの製造方法）
次に、本実施形態に係る太陽電池モジュール１００の製造方法について説明する。
【００５５】
（１）太陽電池形成工程
まず、複数の光電変換部１１を準備する。
【００５６】
次に、スクリーン印刷法、オフセット印刷法などの印刷法を用いて、エポキシ系熱硬化型の銀ペーストなどの導電性ペーストを光電変換部１１の受光面上に印刷する。この際の印刷パターンは、例えば、図２に示す電極パターンである。
【００５７】
次に、スクリーン印刷法、オフセット印刷法などの印刷法を用いて、エポキシ系熱硬化型の銀ペーストなどの導電性ペーストを光電変換部１１の裏面上に印刷する。この際の印刷パターンは、例えば、図３に示すの電極パターンである。
【００５８】
なお、この際、第１交差電極１３及び第２交差電極１５となる導電性ペーストは、配線材２０が配置される領域の直交方向両側に突出するように印刷することに留意すべきである。
【００５９】
次に、印刷された導電性ペーストを所定条件で乾燥させることによって、複数の第１細線電極１２、第１交差電極１３、複数の第２細線電極１４及び第２交差電極１５とを形成する。これによって、複数の太陽電池１０が作製される。
【００６０】
（２）太陽電池ストリング形成工程
次に、複数の太陽電池１０を配列方向に沿って配列するとともに、配線材２０によって複数の太陽電池１０を互いに接続する。
【００６１】
具体的には、まず、太陽電池１０の受光面上に、テープ状或いはペースト状の樹脂接着材３０を介して一の配線材２０を配置するとともに、太陽電池１０の裏面上に、樹脂接着材３０を介して他の配線材２０を配置する。次に、一の配線材２０を受光面側に押し付けながら加熱するとともに、他の配線材２０を裏面側に押し付けながら加熱する。これによって、樹脂接着材３０が硬化され、一の配線材２０及び他の配線材２０のそれぞれは太陽電池１０に接続される。なお、一の配線材２０及び他の配線材２０の接続は、同時に行われてもよいし、それぞれ別に行われてもよい。
【００６２】
（３）モジュール化工程
次に、ガラス基板（受光面側保護材２）上に、ＥＶＡ（封止材４）シート、太陽電池ストリング１、ＥＶＡ（封止材４）シート及びＰＥＴシート（裏面側保護材３）を順次積層して積層体とする。
【００６３】
次に、上記積層体を所定条件で加熱することにより、ＥＶＡを硬化させる。以上により、太陽電池モジュール１００が作製される。なお、太陽電池モジュール１００には、端子ボックスやＡｌフレーム等を取り付けることができる。
【００６４】
（作用及び効果）
実施形態に係る太陽電池１０において、第１交差電極１３は、受光面の平面視において、受光面のうち一の配線材２０が接続される第１接続領域Ｒ１から突出する複数の第１突出部１３Ａを有する。従って、一の配線材２０が第１接続領域Ｒ１からずれた位置に接続されたとしても、一の配線材２０は複数の第１突出部１３Ａ上に配置される。そのため、太陽電池１０の一部に局所的な大きな圧力がかかることによって太陽電池１０にクラックなどの欠陥が生じることを抑制できる。
【００６５】
同様に、実施形態に係る太陽電池１０において、第２交差電極１５は、裏面の平面視において、裏面のうち他の配線材２０が接続される第２接続領域Ｒ２から突出する複数の第２突出部１５Ａを有する。従って、他の配線材２０が第２接続領域Ｒ２からずれた位置に接続されたとしても、他の配線材２０は複数の第２突出部１５Ａ上に配置される。そのため、太陽電池１０の一部に局所的な大きな圧力がかかることによって太陽電池１０にクラックなどの欠陥が生じることを抑制できる。
【００６６】
また、実施形態に係る太陽電池１０において、第１交差電極１３と第２交差電極１５とは、受光面に平行な投影面上において重なっている。従って、一の配線材２０及び他の配線材２０それぞれを太陽電池１０に押し付ける際、第１交差電極１３と第２交差電極１５との間において、太陽電池１０にせん断応力がかかることを抑制することができる。その結果、太陽電池１０にクラックなどの欠陥が生じることを抑制できる。
【００６７】
以上の結果、太陽電池１０の特性が低下することを抑制することができる。
【００６８】
また、第２交差電極１５の線幅βＷは、第１交差電極１３の線幅αＷよりも大きい。すなわち、第１交差電極１３は、受光面に平行な投影面上において、第２交差電極１５の内側に形成される。従って、第１交差電極１３及び第２交差電極１５を形成する際における導電性ペーストの印刷位置の公差を大きくすることができる。そのため、受光面に平行な投影面上において、第１交差電極１３と第２交差電極１５とが重ならない部分が形成されることを抑制することができる。従って、太陽電池１０にせん断応力がかかることをより確実に抑制することができる。
【００６９】
また、受光面側に形成される第１交差電極１３の線幅αＷより、裏面側に形成される第２交差電極１５の線幅βＷを大きくしているので、太陽電池１０の受光面積が小さくなることを抑制することができる。
【００７０】
また、本実施形態において、第１交差電極１３の高さαＴは、第１細線電極１２の高さγＴよりも大きい。従って、配列方向に沿って延びる第１交差電極１３によって、一の配線材２０の伸縮を吸収できるので、一の配線材２０の伸縮が光電変換部１１に伝達されることを抑制することができる。従って、太陽電池１０に反りが発生することを抑制できる。
【００７１】
同様に、本実施形態において、第２交差電極１５の高さβＴは、第２細線電極１４の高さδＴよりも大きい。従って、配列方向に沿って延びる第２交差電極１５によって、他の配線材２０の伸縮を吸収できるので、他の配線材２０の伸縮が光電変換部１１に伝達されることを抑制することができる。従って、太陽電池１０に反りが発生することをより抑制できる。
【００７２】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００７３】
例えば、上記実施形態において、第１交差電極１３及び第２交差電極１５は、配列方向に沿ってジグザグ状に形成されることとしたが、これに限られるものではない。第１交差電極１３及び第２交差電極１５の平面形状は、適宜設定することができる。
【００７４】
また、上記実施形態において、第１突出部１３Ａは、第１接続領域Ｒ１の外側で屈曲することとしたが、これに限られるものではない。例えば、第１突出部１３Ａは、湾曲されていてもよい。同様に、第２突出部１５Ａは、第２接続領域Ｒ２の外側で湾曲されていてもよい。
【００７５】
また、上記実施形態において、第１交差電極１３は、線幅αＷで一様に形成されることとしたが、第１交差電極１３の線幅は、一様でなくてもよい。同様に、第２交差電極１５の線幅は、一様でなくてもよい。本発明では、受光面上に平行な投影面上において、第１交差電極１３と第２交差電極１５とが重なっていればよい。従って、第１交差電極１３の線幅αＷを、第２交差電極１５の線幅線幅βＷよりも大きく形成してよいし、両者が略同等であってもよい。
【００７６】
また、上記実施形態では特に触れていないが、各種電極それぞれは、配線材２０に直接接触していてもよいし、また、配線材２０に直接接触していなくてもよい。各種電極それぞれが配線材２０に直接接触している場合には、樹脂接着材３０は、導電性を有していなくてもよい。各種電極それぞれが配線材２０に直接接触していない場合には、樹脂接着材３０は、導電性を有していることが好ましい。
【００７７】
また、第１交差電極１３の高さαＴは、第１細線電極１２の高さγＴよりも大きく、第２交差電極１５の高さβＴは、第２細線電極１４の高さδＴよりも大きいが、これに限られるものではない。第１交差電極１３の高さαＴは、第１細線電極１２の高さγＴと等しくても良い。第２交差電極１５の高さβＴは、第２細線電極１４の高さδＴと等しくても良い。第１細線電極１２の高さγＴは、第１交差電極１３の高さαＴよりも大きくても良い。第２細線電極１４の高さδＴは、第２交差電極１５の高さβＴよりも大きくても良い。特に、第１細線電極１２の高さγＴは、第１交差電極１３の高さαＴよりも大きいときには、一の配線材２０と第１細線電極１２との間の距離を小さくできるので、一の配線材２０と第１細線電極１２との間の抵抗を小さくすることができる。また、第２細線電極１４の高さδＴは、第２交差電極１５の高さβＴよりも大きいときには、他の配線材２０と第２細線電極１４との間の距離を小さくできるので、他の配線材２０と第２細線電極１４との間の抵抗を小さくすることができる。
【００７８】
このように、本発明はここでは記載していない様々な実施形態等を含むことは勿論である。従って、本発明の技術的範囲は上記の説明から妥当な特許請求の範囲に係る発明特定事項によってのみ定められるものである。
【実施例】
【００７９】
以下、本発明に係る太陽電池モジュールの実施例について具体的に説明するが、本発明は、下記の実施例に示したものに限定されるものではなく、その要旨を変更しない範囲において、適宜変更して実施することができるものである。【００８０】
（実施例）
まず、いわゆるＨＩＴ（登録商標、三洋電機株式会社）構造を有する複数の光電変換部（１２５ｍｍ角、２００μｍ厚）を準備した。【００８１】
次に、複数の光電変換部それぞれの受光面上に、オフセット印刷法によって銀ペーストを印刷することによって、複数の細線電極と交差電極とを形成した。両電極の形成パターンは、図２に示すパターンとした。受光面上の細線電極の好ましいサイズは、幅６０〜９０μｍ、高さ３０〜６０μｍであり、交差電極の好ましいサイズは、幅８０〜１５０μｍ、高さ４０〜７０μｍである。なお、交差電極の幅は、細線電極の幅よりも大きい。【００８２】
次に、受光面上の導電性ペーストを所定の条件で乾燥させた。【００８３】
次に、複数の光電変換部それぞれの裏面上に、オフセット印刷法によって銀ペーストを印刷することによって、複数の細線電極と交差電極とを形成した。両電極の形成パターンは、図３に示すパターンとした。裏面上の細線電極の好ましいサイズは、幅８０〜１２０μｍ、高さ２５〜５０μｍであり、交差電極の好ましいサイズは、幅１００〜３００μｍ、高さ３０〜６０μｍである。従って、受光面に平行な投影面上において、受光面上の交差電極と裏面上の交差電極とは、全域で重なっている。続いて、裏面上の導電性ペーストを所定の条件で乾燥させた。これによって、複数の太陽電池が形成した。【００８４】
次に、配線材（線幅１．５ｍｍ）を用いて、複数の太陽電池を互いに接続した。具体的には、各太陽電池の受光面上及び裏面上にディスペンサーで塗布した熱硬化型エポキシ樹脂上に配線材を配置し、配線材を太陽電池に加熱圧着した。これによって、太陽電池ストリングを形成した。【００８５】
（比較例）
比較例では、実施例と異なる形成パターンで交差電極を形成することによって、受光面に平行な投影面上において、受光面上の交差電極と裏面上の交差電極とが、全域で重ならないようにした。その他の工程は、実施例１と同様とした。【００８６】
（歩留まりについて）
実施例に係る太陽電池ストリングの歩留まりは、９８％であった。一方で、比較例に係る太陽電池ストリングの歩留まりは、８５％であった。なお、太陽電池に割れや欠け、或いは反りなどが発生した太陽電池ストリングを不良品とした。【００８７】
このような結果が得られたのは、実施例では、受光面側の交差電極と裏面側の交差電極とが光電変換部を挟んで対象に形成されているので、配線材を太陽電池に押し付けた際に、両交差電極間でせん断応力が発生することを抑制できたためである。【００８８】
一方で、比較例では、受光面側の交差電極と裏面側の交差電極とが光電変換部を挟んで対象に形成されていないので、両交差電極間に発生したせん断応力によって太陽電池に割れなどが発生した。【００８９】
なお、日本国特許出願第２００９−０９５１４４号（２００９年４月９日出願）の全内容が、参照により、本願明細書に組み込まれている。
【産業上の利用可能性】
【００９０】
以上のように、本発明に係る太陽電池及び太陽電池モジュールは、特性低下を抑制可能であるため、太陽電池及び太陽電池モジュールの製造分野において有用である。
【符号の説明】
【００９１】
１…太陽電池ストリング
２…受光面側保護材
３…裏面側保護材
４…封止材
１０…太陽電池
１１…光電変換部
１２…第１細線電極
１３…第１交差電極
１３Ａ…第１突出部
１４…第２細線電極
１５…第２交差電極
１５Ａ…第２突出部
２０…配線材
３０…樹脂接着材
１００…太陽電池モジュール
【図１】
2010116914.tif 000003
【図２】
2010116914.tif 000004
【図３】
2010116914.tif 000005
【図４】
2010116914.tif 000006
【図５】
2010116914.tif 000007
【図６】
2010116914.tif 000008
【国際調査報告】
2010116914.tif 000009
2010116914.tif 000010